(57)【要約】【課題】食器かごを備えた食器洗い機において、食器かごに収容できる食器の形状，寸法の制約を減らし、使い勝手を向上させる。【解決手段】食器類１８を載置する食器載置用線材５と、食器載置用線材５を配列して固定支持する支持線材６とからなり、かつ収容する食器類１８の種類毎に食器載置用線材５を配列する間隔や形状を変えた食器載置部８を有する食器かご２と、食器かご２を載置する洗浄槽１を有する食器洗い機において、前記食器かご２に固定された食器載置部Ａ１０と移動可能に設けた食器載置部Ｂ１２を重ねて配置してなる食器載置部Ｃ１３を設け、かつ食器載置部Ｃ１３の近傍に複数の固定部１４を有する保持部材１５を設け、前記食器載置部Ｂ１２を前記保持部材１５に複数ある固定部１４のいずれかに固定することにより食器載置部Ｃ１３の食器載置用線材５の間隔を任意で変化可能な構成とした。【選択図】図１
2007319486.tif 000002
【特許請求の範囲】
【請求項１】
食器を載置する食器載置用線材と食器載置用線材を配列して固定支持する支持線材からなり、かつ収容する食器類毎に食器載置用線材を配列する間隔や形状を変えた食器載置部を有する食器かごと、前記食器かごを載置する洗浄槽を有する食器洗い機において、前記食器かごに固定された食器載置部Ａと水平方向へ移動可能に設けた食器載置部Ｂを重ねて配置することにより食器載置部Ａに固定支持された食器載置用線材ａと食器載置部Ｂに固定支持された食器載置用線材ｂが交互に配設されるようにし、食器載置用線材ａと食器載置用線材ｂの両方を使用して一つの食器載置部を形成する食器載置部Ｃを構成し、かつ食器載置部Ｃの近傍に複数の固定部を有する保持部材を設け、前記食器載置部Ｂを前記保持部材の複数ある固定部のいずれかへ固定することにより食器載置部Ｃは食器載置用線材の間隔を任意に変化可能としたことを特徴とする食器洗い機。
【請求項２】
食器載置部Ｂの前後両サイドに軸部を設け、いずれか一方の軸部を前記保持部材に固定し、もう一方の軸部を上下方向の動きを規制しながら前後方向への移動を可能としつつ前記食器かごに軸支したことを特徴とする請求項１記載の食器洗い機。
【請求項３】
食器載置部Ｂに軸部を設け、かつ、軸部を前記保持部材により上下方向の動きを規制しながら各固定部への前後移動をガイドするよう軸支したことを特徴とする請求項１記載の食器洗い機。
【請求項４】
食器載置用線材ａの形状を、食器載置用線材ｂの形状とは異なる形状にしたことを特徴とする請求項１記載の食器洗い機。
【請求項５】
食器載置部Ａにおける食器載置用線材ａの配列間隔と前記食器載置部Ｂにおける食器載置用線材ｂの配列間隔を略同一に設けたことを特徴とする請求項１記載の食器洗い機。
【請求項６】
食器載置部Ａと前記食器載置部Ｂの食器載置用線材が重なった位置で配置できるように前記保持部材の固定部を設けたことを特徴とする請求項５記載の食器洗い機。
【請求項７】
食器載置部Ｃの食器載置用線材間隔が等間隔となるように、前記保持部材の固定部を設けたことを特徴とする請求項５記載の食器洗い機。
【発明の詳細な説明】
【技術分野】
【０００１】
本発明は、洗浄槽内に食器等を収容する食器かごを載置して食器等を洗浄する食器洗い機に関するものである。
【背景技術】
【０００２】
従来のこの種の食器洗い機において、食器かごは、例えば図９に示すような構成が一般的である。
【０００３】
図において、食器かご１０１は上かご１０２と下かご１０３で構成されている。
【０００４】
下かご１０３は、主に皿類や椀類を立てて載置するための多くの食器載置用線材１０４が枠となる線材１０５に固定されて組み立てられており、食器載置用線材１０４は、収納する食器の種類に応じて、固定角度や固定幅，上面に突出する長さ等を変えることで対応している。
【０００５】
上かご１０２は、主にコップ類を載置する為の棚が線材で形成され、下かご１０３に食器を載置し易くするために上かご１０２が起き上げられるように、下かご１０３に回動可能に支持されている。
【０００６】
また、食器洗い機の食器かごの一部を可動または着脱可能とした構成としては、例えば図１０（特許文献１）に記載されているものがある。
【０００７】
この図に示すものは、食器等を収納して洗浄槽内に収容する食器かご１０６において、食器を支持する食器支持部材１０７の一部を着脱可能または可動式とし、かつ着脱または可動とした食器支持部材１０７を使用しない場合においても食器かご１０６に食器の支持を可能としている。
【０００８】
これにより、着脱または可動する食器支持部材１０７の有り無しの二通りの設置パターンを形成することが可能となっている。
【０００９】
【特許文献１】特開２００２−３５５２１３号公報
【発明の開示】
【発明が解決しようとする課題】
【００１０】
上記従来の構成において、前者に示すものは、下かごに食器類を収容する場合、食器載置用線材が枠となる線材に固定されているため、食器類の形状や大きさに制約ができ、自由度が少ない。
【００１１】
また、後者の特許文献１に記載されているように、一部の食器支持部材１０７を着脱または可動可能な構成とした場合においても、食器設置パターンとしては食器支持部材107の有り無しの二通りしかなく、自由度は少ない。また、着脱や可動した食器支持部材107
を使用しないときの収納や保管が困難である。
【課題を解決するための手段】
【００１２】
本発明は上記の課題を解決するためになされたものであり、具体的には下記の構成としたものである。
【００１３】
請求項１では、食器を載置する食器載置用線材と食器載置用線材を配列して固定支持する支持線材からなり、かつ収容する食器類毎に食器載置用線材を配列する間隔や形状を変えた食器載置部を有する食器かごと、前記食器かごを載置する洗浄槽を有する食器洗い機において、前記食器かごに固定された食器載置部Ａと水平方向へ移動可能に設けた食器載置部Ｂを重ねて配置することにより食器載置部Ａに固定支持された食器載置用線材ａと食器載置部Ｂに固定支持された食器載置用線材ｂが交互に配設されるようにし、食器載置用線材ａと食器載置用線材ｂの両方を使用して一つの食器載置部を形成する食器載置部Ｃを設け、かつ食器載置部Ｃの近傍に複数の固定部を有する保持部材を設け、前記食器載置部Ｂを前記保持部材の複数ある固定部のいずれかへ固定することにより食器載置部Ｃは食器載置用線材の間隔を任意に変化可能としたものである。
【００１４】
請求項２では、食器載置部Ｂの前後両サイドに軸部を設け、いずれか一方の軸部を前記保持部材に固定し、もう一方の軸部を上下方向の動きを規制しながら前後方向への移動を可能としつつ前記食器かごに軸支したものである。
【００１５】
請求項３では、食器載置部Ｂに軸部を設け、かつ、軸部を前記保持部材により上下方向の動きを規制しながら各固定部への前後移動をガイドするよう軸支したものである。
【００１６】
請求項４では、食器載置用線材ａの形状を、食器載置用線材ｂの形状とは異なる形状にしたものである。
【００１７】
請求項５では、食器載置部Ａにおける食器載置用線材ａの配列間隔と前記食器載置部Ｂにおける食器載置用線材ｂの配列間隔を略同一に設けたものである。
【００１８】
請求項６では、食器載置部Ａと前記食器載置部Ｂの食器載置用線材が重なった位置で配置できるように前記保持部材の固定部を設けたものである。
【００１９】
請求項７では、食器載置部Ｃの食器載置用線材間隔が等間隔となるよう、前記保持部材の固定部を設けたものである。
【発明の効果】
【００２０】
本発明によれば、食器かごの一部を取り外すことなく、収納する食器類の深さ，形状によって食器載置部の寸法を任意に変化させることができるので、収納可能な食器類の制限を少なくして、使い勝手の良い食器洗い機を提供することができる。
【発明を実施するための最良の形態】
【００２１】
本発明の実施例について図面を参照して説明する。
【００２２】
本発明に係る食器洗い機は図１に示すように、上側に食器類１８が出し入れできる開口１ａを有する洗浄槽１を備え、該洗浄槽１内には食器類１８を収容する食器かご２が載置されている。
【００２３】
食器かご２は、上かご３と下かご４の２段で構成され、下かご４は主に皿類１８ａや椀類（図示せず）を立てて載置し、上かご３は主に湯呑み１８ｂやコップ類１８ｃを載置することができるようになっている。
【００２４】
また、下かご４は、食器類１８を倒れないように押さえて保持するための食器載置用線材５と、それらを固定支持するための支持線材６、支持線材６を固定支持し、洗浄槽１に載置する為の枠となる枠線材７とで形成されている。
【００２５】
また、下かご４は、載置する食器類１８等に応じて固定角度や固定幅，上面に突出させる長さ等を変えた食器載置用線材５を支持線材６に固定して形成した複数の食器載置部８を有している。
【００２６】
食器載置部８の一部は、図２，図３，図４に示すように食器かご２の一部に食器載置用線材ａ９を有する食器載置部Ａ１０と、食器載置用線材ｂ１１を有する食器載置部Ｂ１２とで形成され、食器載置部Ａ１０の上に食器載置部Ｂ１２を重ねて配置し、食器載置用線材ａ９と食器載置用線材ｂ１１が交互に配設されるように組み合わせて食器載置部Ｃ１３を構成している。
【００２７】
食器載置部Ａ１０は、食器かご２の下かご４に固定されており、その内側に重ねて配置した食器載置部Ｂ１２は、上下方向の移動を規制されながら水平方向に移動できるように支持されている。
【００２８】
また、食器載置部Ｃ１３の近傍には複数の固定部１４を有する保持部材１５を設けており、食器載置部Ｂ１２を保持部材１５に複数ある固定部１４のいずれかに固定することができる構成となっている。
【００２９】
そして、食器載置部Ｂ１２を保持部材１５のどの位置に固定するかにより、食器載置用線材ａ９と食器載置用線材ｂ１１の間隔であるＷ1及びＷ2が図７に示すように変わるので、使用者が任意に間隔を広くしたり狭くしたりして調整することができる。
【００３０】
これにより、食器載置部Ｃ１３に収容したい食器類１８が比較的大きかったり、深めだったりしても、間隔を調整することにより容易に収容することができる。
【００３１】
食器載置部Ｂ１２を食器かご２に支持する方法としては、図５に示すように食器載置部Ｂ１２の前後両サイドに軸部１６を設け、一方の軸部１６を保持部材１５の固定部１４に固定する。
【００３２】
また、もう一方の軸部１６は、下かご４側に設けた左右の軸受け部１７に引っ掛けて支持する。
【００３３】
軸受け部１７に掛けた軸部１６は、上下方向の動きを規制されつつ前後方向へ一定範囲内で移動できるように支持されている。また、食器載置部Ｂ１２は食器載置部Ａ１０の内側に配置されており、左右の動きもそれにより規制されている。
【００３４】
これにより、食器類１８の収容幅を変えるために食器載置部Ｂ１２の固定位置をずらす場合、食器載置部Ｂ１２を取り外すことなく、軸受け部１７に軸部１６が支持された状態で、もう一方の軸部１６を持ち上げて前後に引っ張るだけで容易に食器載置部Ｂ１２を移動させることができる。
【００３５】
図６は、食器載置部Ｂ１２を食器かご２に支持する手段の別の一例を示している。
【００３６】
食器載置部Ｂ１２の前後両サイドに軸部１６を設け、一方の軸部１６を保持部材１５の固定部１４に支持している。
【００３７】
また、軸部１６は、保持部材１５に上下に挟み込むように支持されており、これにより上下方向の動きを規制されつつ、前後方向へは一定範囲内で移動できるように支持されている。
【００３８】
前後方向の移動範囲内の途中に複数の固定部１４となる凹部が設けてあり、そこにガイドすることで食器載置部Ｂ１２を固定している。
【００３９】
もう一方の軸部１６は、フリーとなっており、食器かご２を構成する線材の上に水平を維持しつつ置かれている。
【００４０】
これにより、食器類１８の収容幅を変えるために食器載置部Ｂ１２の固定位置をずらす場合、食器載置部Ｂ１２を取り外すことなく、保持部材１５に軸部１６が支持された状態で、固定部１４側の軸部１６を持ち上げつつ前後に引っ張り、別の固定部１４へガイドするだけで容易に食器載置部Ｂ１２を移動することができる。
【００４１】
また、食器載置部Ｃ１３に異なる食器類１８を同時に載置できるように、例えば食器載置用線材ａ９の長さ及び取付角度と、食器載置用線材ｂ１１の長さ及び取付角度を変えて設けた構成としてもよい。
【００４２】
また、食器載置部Ａ１０に固定された食器載置用線材ａ９の配列間隔Ｗと食器載置部Ｂ１２に固定された食器載置用線材ｂ１１の配列間隔Ｗを略同一になるように設けており、図７，図８に示すように食器載置部Ａ１０と食器載置部Ｂ１２が重なるように配置したり、食器載置用線材ａ９と食器載置用線材ｂ１１の間隔がＷ1＝Ｗ2となるように、すなわち全て等間隔となるように配置したりできるように構成している。
【００４３】
食器載置用線材ａ９とｂ１１の間隔が全て等間隔となる位置の寸法間隔を標準食器設定として、逆に設定できる最大寸法間隔は食器載置部Ａ１０と食器載置部Ｂ１２が重ねて配置された位置としている。この寸法範囲内で収容可能寸法は設定できる構成である。
【００４４】
本発明は、上記のような構成としたことにより、従来のように食器かごの一部を取り外したりすることもなく、食器収容スペースとなる食器載置用線材の寸法間隔を容易に変更できるので、収容する食器類の形状，寸法の制約が減り、収容に自由度ができ、使い勝手を向上することができる。
【図面の簡単な説明】
【００４５】
【図１】本発明の一実施例を示すもので、側面から食器洗い機内部を見た断面図である。
【図２】同食器搭載時の食器かごの斜視図である。
【図３】同食器かごの分解斜視図である。
【図４】同食器かごの斜視図である。
【図５】同食器載置部の拡大斜視図である。
【図６】同食器載置部の拡大斜視図である。
【図７】同食器載置部の拡大斜視図である。
【図８】同食器載置部の他の一例の拡大斜視図を示す。
【図９】従来例の食器かごの斜視図を示す。
【図１０】従来例の他の食器かごの斜視図を示す。
【符号の説明】
【００４６】
１…洗浄槽、２…食器かご、３…上かご、４…下かご、５…食器載置用線材、６…支持線材、７…枠線材、８…食器載置部、９…食器載置用線材ａ、１０…食器載置部Ａ、１１…食器載置用線材ｂ、１２…食器載置部Ｂ、１３…食器載置部Ｃ、１４…固定部、１５…保持部材、１６…軸部、１７…軸受け部。
【図１】
2007319486.tif 000003
【図２】
2007319486.tif 000004
【図３】
2007319486.tif 000005
【図４】
2007319486.tif 000006
【図５】
2007319486.tif 000007
【図６】
2007319486.tif 000008
【図７】
2007319486.tif 000009
【図８】
2007319486.tif 000010
【図９】
2007319486.tif 000011
【図１０】
2007319486.tif 000012